(57)【要約】【課題】用紙11に付着している紙粉を確実に除去できる用紙11の紙粉除去装置12を提供する。【解決手段】走行する用紙11の表面に紙粉除去ローラ13の周面17が接触し、用紙11の表面に付着している紙粉を紙粉除去ローラの周面で擦り取る。用紙11の走行速度と紙粉除去ローラ13の周面17の周速とに速度差を持たせ、この速度差により、用紙11の表面に付着している紙粉を紙粉除去ローラの周面で確実に擦り取る。紙粉除去ローラ13の周面17に付着した紙粉を、洗浄液が含浸された不織布20で拭い取る。【選択図】図１
2010052835.tif 000002
【特許請求の範囲】
【請求項１】
走行する用紙の表面に周面が接触するとともに、用紙の走行速度に対して周面の周速が速度差を有するように回転する紙粉除去ローラと、
この紙粉除去ローラの周面に付着した紙粉を取り除く清掃手段と
を具備していることを特徴とする用紙の紙粉除去装置。
【請求項２】
紙粉除去ローラは、用紙の走行方向に対して反対方向に回転する
ことを特徴とする請求項１記載の用紙の紙粉除去装置。
【請求項３】
清掃手段は、紙粉除去ローラの周面に接触する不織布、この不織布を前記紙粉除去ローラに供給する供給部、および前記紙粉除去ローラを通過した前記不織布を巻き取る巻取部を有している
ことを特徴とする請求項１または２記載の用紙の紙粉除去装置。
【請求項４】
不織布には洗浄液が含浸されている
ことを特徴とする請求項３記載の用紙の紙粉除去装置。
【請求項５】
紙粉除去ローラに到達する前に用紙の静電気を除去する紙粉除去前静電気除去手段を具備している
ことを特徴とする請求項１ないし４いずれか記載の用紙の紙粉除去装置。
【請求項６】
紙粉除去ローラを通過した用紙の静電気を除去する紙粉除去後静電気除去手段を具備している
ことを特徴とする請求項１ないし５いずれか記載の用紙の紙粉除去装置。
【発明の詳細な説明】
【技術分野】
【０００１】
本発明は、用紙に付着している紙粉を除去する用紙の紙粉除去装置に関する。
【背景技術】
【０００２】
一般に、用紙の表面に紙粉が付着しており、この紙粉の影響で、用紙に印刷する印刷品質を低下させたり、印刷機に障害をもたらす要素となっている。
【０００３】
そこで、印刷機へ送る用紙の紙粉を除去する紙粉除去装置が用いられている。
【０００４】
従来の紙粉除去装置は、印刷機へ向けて走行する用紙に対して回転ブラシを接触させて紙粉を払い落として除去したり、走行する用紙の表面に吸入口を対向させて紙粉を吸引して除去している（例えば、特許文献１参照。）。
【０００５】
また、紙粉除去ローラを兼用して用紙を搬送する搬送ローラを用い、静電的な力により、用紙の表面に付着している紙粉を搬送ローラに移行させ、この搬送ローラに移行した紙粉をスポンジなどの弾性体で掻き取っている（例えば、特許文献２参照。）。
【特許文献１】特開平５−５０７１０号公報（第２頁、図１−２）
【特許文献２】特開２００７−３０９９６号公報（第３−４頁、図３）
【発明の開示】
【発明が解決しようとする課題】
【０００６】
しかしながら、従来のように、走行する用紙に対して回転ブラシを接触させて紙粉を払い落とすのでは、紙粉が飛散し、飛散した紙粉が用紙に再付着しやすく、また、走行する用紙の表面に吸入口を対向させて紙粉を吸引するのでは、用紙の表面に付着している紙粉を十分に吸引できない。
【０００７】
また、紙粉除去ローラを兼用して用紙を搬送する搬送ローラを用い、静電的な力により、用紙の表面に付着している紙粉を搬送ローラに移行させるのでは、用紙の走行速度と搬送ローラの周面の周速とが同じ速度であるため、用紙の表面に付着している紙粉を搬送ローラに十分に移行させることができない。
【０００８】
したがって、従来の紙粉除去装置では、用紙の表面に付着している紙粉を確実に除去できない問題がある。
【０００９】
本発明は、このような点に鑑みなされたもので、用紙に付着している紙粉を確実に除去できる用紙の紙粉除去装置を提供することを目的とする。
【課題を解決するための手段】
【００１０】
請求項１記載の用紙の紙粉除去装置は、走行する用紙の表面に周面が接触するとともに、用紙の走行速度に対して周面の周速が速度差を有するように回転する紙粉除去ローラと、この紙粉除去ローラの周面に付着した紙粉を取り除く清掃手段とを具備しているものである。
【００１１】
請求項２記載の用紙の紙粉除去装置は、請求項１記載の用紙の紙粉除去装置において、紙粉除去ローラは、用紙の走行方向に対して反対方向に回転するものである。
【００１２】
請求項３記載の用紙の紙粉除去装置は、請求項１または２記載の用紙の紙粉除去装置において、清掃手段は、紙粉除去ローラの周面に接触する不織布、この不織布を前記紙粉除去ローラに供給する供給部、および前記紙粉除去ローラを通過した前記不織布を巻き取る巻取部を有しているものである。
【００１３】
請求項４記載の用紙の紙粉除去装置は、請求項３記載の用紙の紙粉除去装置において、不織布には洗浄液が含浸されているものである。
【００１４】
請求項５記載の用紙の紙粉除去装置は、請求項１ないし４いずれか記載の用紙の紙粉除去装置において、紙粉除去ローラに到達する前に用紙の静電気を除去する紙粉除去前静電気除去手段を具備しているものである。
【００１５】
請求項６記載の用紙の紙粉除去装置は、請求項１ないし５いずれか記載の用紙の紙粉除去装置において、紙粉除去ローラを通過した用紙の静電気を除去する紙粉除去後静電気除去手段を具備しているものである。
【発明の効果】
【００１６】
請求項１記載の用紙の紙粉除去装置によれば、走行する用紙の表面に接触する紙粉除去ローラが、用紙の走行速度に対して紙粉除去ローラの周面の周速が速度差を有するように回転するため、この速度差により、用紙の表面に付着している紙粉を紙粉除去ローラの周面で擦り取り、用紙の表面に付着している紙粉を確実に除去できる。
【００１７】
請求項２記載の用紙の紙粉除去装置によれば、請求項１記載の用紙の紙粉除去装置の効果に加えて、紙粉除去ローラが、用紙の走行方向に対して反対方向に回転するため、用紙の表面に付着している紙粉を紙粉除去ローラの周面で擦り取り、用紙の表面に付着している紙粉を確実に除去できる。
【００１８】
請求項３記載の用紙の紙粉除去装置によれば、請求項１または２記載の用紙の紙粉除去装置の効果に加えて、紙粉除去ローラの周面に不織布を接触させて紙粉除去ローラの周面から紙粉を確実に取り除くことができ、紙粉除去ローラを通過した不織布を巻き取ることによって紙粉除去ローラの周面からの紙粉の取り除き効果を継続的に維持できる。
【００１９】
請求項４記載の用紙の紙粉除去装置によれば、請求項３記載の用紙の紙粉除去装置の効果に加えて、不織布には洗浄液が含浸されているため、紙粉除去ローラの周面の紙粉を取り除きやすくできる。
【００２０】
請求項５記載の用紙の紙粉除去装置によれば、請求項１ないし４いずれか記載の用紙の紙粉除去装置の効果に加えて、紙粉除去前静電気除去手段により紙粉除去ローラに到達する前に用紙の静電気を除去するため、用紙の紙粉を紙粉除去ローラで除去しやすくできる。
【００２１】
請求項６記載の用紙の紙粉除去装置によれば、請求項１ないし５いずれか記載の用紙の紙粉除去装置の効果に加えて、紙粉除去後静電気除去手段により紙粉除去ローラを通過した用紙の静電気を除去するため、紙粉除去ローラの接触で生じた用紙の静電気を除去できる。
【発明を実施するための最良の形態】
【００２２】
以下、本発明の一実施の形態を、図面を参照して説明する。
【００２３】
図１において、11は帯状に連続した用紙で、この用紙11が例えば８ｍ／ｓｅｃの走行速度で走行移動しながら、輪転機による印刷工程を経て用紙11の表面に印刷される。
【００２４】
走行する用紙11が印刷工程に入る前に、用紙11の表面に付着している紙粉を除去する紙粉除去装置12が配設されている。この紙粉除去装置12は、走行する用紙11の表面に接触する紙粉除去ローラ13、およびこの紙粉除去ローラ13の周面に付着した紙粉を取り除く清掃手段14を備えている。
【００２５】
そして、紙粉除去ローラ13は、例えば、鉄、アルミニウム、カーボン製で、中空状に形成されている。この紙粉除去ローラ13の周面17は、用紙11における紙粉の付着状況に応じて、鏡面仕上げからマット仕上げまで、表面粗さが設定されている。例えば、用紙11の表面を傷めない範囲で、効果的に用紙11の紙粉を擦り取れるように、所定の表面粗さに設定されている。また、紙粉除去ローラ13の周面17には、磨耗を軽減するためにコーティング処理が施されている。
【００２６】
紙粉除去ローラ13は、図示しないモータを用いた紙粉除去ローラ駆動機構により、用紙11の走行速度に対して周面17の周速が速度差を有するように回転するもので、例えば用紙11の走行方向に対して反対方向に回転する。
【００２７】
また、清掃手段14は、紙粉除去ローラ13の周面に接触する不織布20を用いたもので、この不織布20には洗浄液が含浸されている。不織布20は、ロール状に巻回された供給部21から引き出され、巻取部22に巻き取られるもので、これら供給部21と巻取部22との間において紙粉除去ローラ13の周面17に接触する。さらに、紙粉除去ローラ13の周面17に不織布20を押し付ける押付部23が設けられている。
【００２８】
巻取部22は、図示しないモータを用いた巻取機構により、紙粉除去ローラ13の周面17の回転方向に対して反対方向に不織布20が移動するように巻き取る。
【００２９】
また、紙粉除去ローラ13に到達する前に用紙11の静電気を除去する紙粉除去前静電気除去手段26、および、紙粉除去ローラ13を通過した用紙11の静電気を除去する紙粉除去後静電気除去手段27が配設されている。これら静電気除去手段26，27は、例えば除電ブラシなどで構成されている。
【００３０】
また、図１には、用紙11の一方の表面について紙粉を除去する紙粉除去装置12を示しているが、用紙11の他方の表面についても紙粉を除去する紙粉除去装置12を備えている。
【００３１】
次に、紙粉除去装置12の動作を説明する。
【００３２】
走行する用紙11が紙粉除去ローラ13に到達する前に、紙粉除去前静電気除去手段26により用紙11の静電気を除去し、用紙11の紙粉を紙粉除去ローラ13で除去しやすくする。
【００３３】
静電気が除去された用紙11の表面が紙粉除去ローラ13の周面に接触する。紙粉除去ローラ13は用紙11の走行方向に対して反対方向に回転しているため、用紙11の走行速度と紙粉除去ローラ13の周面17の周速とに速度差が生じ、この速度差により、用紙11の表面に付着している紙粉を紙粉除去ローラ13の周面17で擦り取る。
【００３４】
紙粉除去ローラ13の周面17に接触する不織布20により、回転している紙粉除去ローラ13の周面17に付着している紙粉を拭い取る。このとき、不織布20には洗浄液が含浸されているため、および押付部23により不織布20が紙粉除去ローラ13の周面17に押し付けられているため、紙粉除去ローラ13の周面17の紙粉を確実に拭い取ることができる。洗浄液は、不織布20と接触した紙粉除去ローラ13の周面部分が用紙11に到達する前に蒸発、乾燥する。
【００３５】
不織布20は、巻取部22に巻き取ることにより、紙粉除去ローラ13の周面17に対して紙粉で目詰まりした使用済み部分を排出して未使用部分を供給し、紙粉除去ローラ13の周面17からの紙粉の取り除き効果を継続的に維持できる。
【００３６】
不織布で紙粉を取り除いた紙粉除去ローラ13の周面部分が再び用紙11の表面に接触し、用紙11の表面に付着している紙粉を擦り取る。
【００３７】
用紙11が紙粉除去ローラ13を通過した後、紙粉除去後静電気除去手段27により用紙11の静電気を除去し、紙粉除去ローラ13との接触で生じた用紙11の静電気を除去する。
【００３８】
このように、紙粉除去装置12では、走行する用紙11の表面に接触する紙粉除去ローラ13が、用紙11の走行速度に対して紙粉除去ローラ13の周面17の周速が速度差を有するように回転するため、この速度差により、用紙11の表面に付着している紙粉を紙粉除去ローラ13の周面で擦り取り、用紙11の表面に付着している紙粉を確実に除去できる。
【００３９】
なお、用紙11の走行速度と紙粉除去ローラ13の周面17の周速との速度差の設定は、用紙11の走行方向に対して紙粉除去ローラ13が反対方向に回転する場合に限らず、用紙11の走行方向に対して紙粉除去ローラ13が同じ方向に回転する場合でも、それらに速度差があればよい。
【００４０】
また、清掃手段14は、不織布20を用いる場合に限らず、例えばスポンジやブラシなどを用いてもよい。
【図面の簡単な説明】
【００４１】
【図１】本発明の一実施の形態を示す用紙の紙粉除去装置の側面図である。
【符号の説明】
【００４２】
11    用紙
12    紙粉除去装置
13    紙粉除去ローラ
14    清掃手段
17    周面
20    不織布
21    供給部
22    巻取部
26    紙粉除去前静電気除去手段
27    紙粉除去後静電気除去手段
【図１】
2010052835.tif 000003